(57)【要約】【課題】扱処理空間から排出された排ワラの細断処理を良好に行えるようにすることが望まれていた。【解決手段】排ワラ細断装置に、複数の固定刃４８が設けられ、かつ、投入口５５の下端部から細断物放出口５６にわたって設けられた流下案内板５４と、排ワラを回転刃４７と固定刃４８とによって細断する細断部４９と、細断部４９を上側から覆う箱形状のカバー４６と、が備えられ、流下案内板５４は、側面視で、投入口５５の下端部から細断物放出口５６にわたって直線状に延ばされ、細断部４９の外周部における投入口５５側に位置する部分のうち、側面視で横向き軸芯Ｐ３よりも投入口５５側であって且つ横向き軸芯Ｐ３に対して流下案内板５４とは反対側の部分が、カバー４６の天井部材５０における排ワラ移送方向前端部によって覆われている。【選択図】図５
2018000189.tif 000002
【特許請求の範囲】
【請求項１】
扱胴と前記扱胴の下方に設けられた受網との間に扱処理空間が形成されている脱穀装置と、
前記脱穀装置の後側に設けられ、前記脱穀装置による脱穀処理後の排ワラの細断処理を行う排ワラ細断装置と、が備えられ、
前記排ワラ細断装置に、前記扱処理空間の後端部に形成されて排ワラが投入される投入口と、前記投入口の後下側に位置し、細断された排ワラを外部に放出する細断物放出口と、複数の固定刃が設けられ、かつ、前記投入口の下端部から前記細断物放出口にわたって設けられた流下案内板と、複数の回転刃が設けられ、かつ、前記流下案内板の上側において横向き軸芯周りで回転し、前記投入口から投入された排ワラを、前記流下案内板との間に掻き込んで前記複数の回転刃と前記複数の固定刃とによって細断する細断部と、前記細断部を上側から覆う箱形状のカバーと、が備えられ、
前記流下案内板は、側面視で、前記投入口の下端部から前記細断物放出口にわたって直線状に延ばされ、
前記細断部の外周部における前記投入口側に位置する部分のうち、側面視で前記横向き軸芯よりも前記投入口側であって且つ前記横向き軸芯に対して前記流下案内板とは反対側の部分が、前記カバーの天井部材における排ワラ移送方向前端部によって覆われているコンバイン。
【請求項２】
前記カバーの前記前端部は、前記回転刃の外周端部の回転軌跡の最上端位置に近接する位置から、前方へ向けて水平状態、又は、前下がり状態で延びている請求項１に記載のコンバイン。
【請求項３】
前記カバーの前記前端部は、排ワラ移送方向において、前記回転刃の外周端部の回転軌跡の前端部よりも前側まで延びている請求項１又は２に記載のコンバイン。
【請求項４】
前記受網の下側に、前記受網を漏下した脱穀処理物を選別処理して穀粒と塵埃とに選別するとともに塵埃を後部の排塵口から外部に排出する選別部が備えられ、
前記流下案内板は前記排塵口の上方を通過する状態で設けられている請求項１から３のいずれか１項に記載のコンバイン。
【請求項５】
前記選別部に、塵埃を風選別するため選別風を生起する唐箕が備えられ、
前記唐箕により生起された風は、前記排塵口を通り、前記流下案内板の下方を通過する請求項４に記載のコンバイン。
【請求項６】
前記固定刃は、前記流下案内板のうち前記回転刃の外周端部が最接近する箇所よりも排ワラ移送方向の下手側の箇所に設けられている請求項１から５のいずれか１項に記載のコンバイン。
【請求項７】
前記固定刃に、取付用の基部と、前記基部から上方に延設されるとともに切断用の刃が形成された切断作用部とが備えられ、
前記流下案内板のうち前記固定刃が取り付けられた固定刃取付箇所に対して排ワラ移送方向上手側に近接する箇所に、前記基部の上下高さよりも高い前上がりの段差が形成されている請求項１から６のいずれか１項に記載のコンバイン。
【請求項８】
前記流下案内板の下側に、機体横幅方向に沿って延びる補強部材が備えられ、
前記補強部材は、前記流下案内板の裏面のうち、前記固定刃が取り付けられた固定刃取付箇所に対応する位置に設けられている請求項１から７のいずれか１項に記載のコンバイン。
【請求項９】
前記細断部は、前記回転刃の外周端部の回転軌跡の最上端位置が、前記受網の最下端位置よりも高い位置になるように設けられている請求項１から８のいずれか１項に記載のコンバイン。
【請求項１０】
前記細断部は、機体前後方向において、前記回転刃の外周端部の回転軌跡の前端部が前記投入口の後端部と同じ位置に位置するように設けられている請求項１から９のいずれか１項に記載のコンバイン。
【請求項１１】
前記扱胴は、前記受網よりも後側に長く構成され、
前記投入口は、前記扱胴の後端部と前記受網の後端部とに亘る状態で形成されている請求項１から１０のいずれか１項に記載のコンバイン。
【請求項１２】
前記流下案内板に、前記受網を支持する受網支持部から後下方に延びる第一流下部材と、前記第一流下部材に連なるように前記カバーに支持され、側面視で後下方に延びる第二流下部材とが備えられている請求項１から１１のいずれか１項に記載のコンバイン。
【請求項１３】
前記天井部材は、前記回転刃の外周端部の回転軌跡に近接する状態で、前記細断部を後上側から覆っており、
前記天井部材の排ワラ移送方向下手側部分は、前記回転刃の外周端部の回転軌跡から離間するように後部側に向けて延びている請求項１から１２のいずれか１項に記載のコンバイン。
【請求項１４】
前記流下案内板の排ワラ移送方向下手側に、前記細断部によって細断された排ワラを、機体横幅方向での排出方向を規制しながら流下案内するガイド部が備えられている請求項１から１３のいずれか１項に記載のコンバイン。
【請求項１５】
前記天井部材の排ワラ移送方向下手側端部に、上下方向に沿って延びる縦壁部が備えられ、
前記ガイド部の後側の対向する位置に、前記縦壁部の下部に連なって上下方向に沿って下方に向けて延びる延長縦壁部が備えられている請求項１４に記載のコンバイン。
【請求項１６】
前記天井部材の排ワラ移送方向下手側に、前記細断部によって細断された排ワラを、機体横幅方向の中央側に案内するガイド部が備えられている請求項１から１３のいずれか１項に記載のコンバイン。
【請求項１７】
前記カバーに、前記回転刃の外周端部の回転軌跡に近接する状態で前記細断部を覆う本体部と、前記本体部の後部から後方に向けて延びる延出部と、が備えられ、
前記ガイド部は、前記本体部内に入り込む状態で前記延出部に備えられている請求項１６に記載のコンバイン。
【請求項１８】
前記排ワラ細断装置に、前記流下案内板の下端部から前記回転刃の下方を通って後方に向けて延びる放出案内板が備えられている請求項１から１７のいずれか１項に記載のコンバイン。
【請求項１９】
前記放出案内板は、前記横向き軸芯よりも後側まで延びている請求項１８に記載のコンバイン。
【請求項２０】
前記放出案内板は、機体前後方向において、前記横向き軸芯と、前記回転刃の外周端部の回転軌跡の後端との間まで延びている請求項１９に記載のコンバイン。
【請求項２１】
前記天井部材の排ワラ移送方向下手側部分は、前記回転刃の外周端部の回転軌跡から離間するように後部側に向けて延びており、
前記排ワラ移送方向下手側部分は、後下がりに傾斜し、かつ、前記排ワラ移送方向下手側部分の後端が前記放出案内板の後端と略同じ高さ位置になるように設けられている請求項１８から２０のいずれか１項に記載のコンバイン。
【請求項２２】
前記天井部材の排ワラ移送方向下手側部分は、前記回転刃の外周端部の回転軌跡から離間するように後部側に向けて延びており、
前記排ワラ移送方向下手側部分は、後下がりに傾斜し、かつ、前記排ワラ移送方向下手側部分の後端が前記放出案内板の後端よりも低い位置になるように設けられている請求項１８から２１のいずれか１項に記載のコンバイン。
【発明の詳細な説明】
【技術分野】
【０００１】
本発明は、扱胴と前記扱胴の下方に設けられた受網との間に扱処理空間が形成されている脱穀装置と、前記脱穀装置の後側に設けられ、前記脱穀装置による脱穀処理後の排ワラの細断処理を行う排ワラ細断装置とが備えられているコンバインに関する。
【背景技術】
【０００２】
従来のコンバインに備えられる排ワラ細断装置は、脱穀装置側の端部に脱穀装置から排出される排ワラ屑等を受け入れるために大きく開口する状態で投入口が形成され、投入口の後下側には細断された排ワラを外部に放出する細断物放出口が形成され、さらに、投入口と細断物放出口との間に、横軸芯周りで回転する複数の回転刃と位置固定の複数の固定刃とによって細断する細断部が備えられている。投入口は、扱処理空間からの排ワラ屑だけでなく、扱処理空間の下部に設けられた選別部にて選別された排ワラを受け入れるように大きく開口されている。
【０００３】
そして、細断部を上側から覆うカバーは、脱穀装置側の端部から回転刃の外周端部の回転軌跡の最上端位置よりも機体後部側に位置する箇所にわたって、細断部の上方を大きく開放する状態となっている。又、細断部の下方に位置して、固定刃が設けられるとともに排ワラ屑を後方に案内する下部案内板は、緩やかな後下がりの傾斜姿勢に設けられていた（例えば、特許文献１参照）。
【先行技術文献】
【特許文献】
【０００４】
【特許文献１】特開２０１４−１４２９８号公報
【発明の概要】
【発明が解決しようとする課題】
【０００５】
上記従来構成では、扱処理空間の後端部から排出された排ワラが排ワラ細断装置に投入される際に、細断部による細断処理が円滑に行われずに、排ワラが投入口付近で滞留してしまうことがあった。
【０００６】
説明を加えると、脱穀装置側の端部から回転刃の外周端部の回転軌跡の最上端位置よりも機体後部側に位置する箇所にわたって、細断部の上方が大きく開放されているから、扱処理空間の後端部から排出された排ワラが、回転刃の外周端部の回転軌跡の上部側箇所において、高速で回転する回転刃によって弾かれて浮き上がり、細断部の上方側の空間に滞留し勝ちになる。又、扱処理空間の後端部と、下部案内板との間は大きく間隔が開いており、細断部の上方側だけでなく細断部の機体前部側にも開放された空間が形成されるので、扱処理空間の後端部から排出された排ワラが、この箇所にも滞留し勝ちになる。
【０００７】
その結果、排ワラが投入口付近で滞留してしまい、細断部における回転刃と固定刃との協働による細断作用部に向けて排ワラが円滑に送り込まれず、排ワラの細断処理が良好に行えないおそれがあった。
【０００８】
そこで、扱処理空間から排出された排ワラの細断処理を良好に行えるようにすることが望まれていた。
【課題を解決するための手段】
【０００９】
本発明に係るコンバインの特徴構成は、扱胴と前記扱胴の下方に設けられた受網との間に扱処理空間が形成されている脱穀装置と、
前記脱穀装置の後側に設けられ、前記脱穀装置による脱穀処理後の排ワラの細断処理を行う排ワラ細断装置と、が備えられ、
前記排ワラ細断装置に、前記扱処理空間の後端部に形成されて排ワラが投入される投入口と、前記投入口の後下側に位置し、細断された排ワラを外部に放出する細断物放出口と、複数の固定刃が設けられ、かつ、前記投入口の下端部から前記細断物放出口にわたって設けられた流下案内板と、複数の回転刃が設けられ、かつ、前記流下案内板の上側において横向き軸芯周りで回転し、前記投入口から投入された排ワラを、前記流下案内板との間に掻き込んで前記複数の回転刃と前記複数の固定刃とによって細断する細断部と、前記細断部を上側から覆う箱形状のカバーと、が備えられ、
前記流下案内板は、側面視で、前記投入口の下端部から前記細断物放出口にわたって直線状に延ばされ、
前記細断部の外周部における前記投入口側に位置する部分のうち、側面視で前記横向き軸芯よりも前記投入口側であって且つ前記横向き軸芯に対して前記流下案内板とは反対側の部分が、前記カバーの天井部材における排ワラ移送方向前端部によって覆われている点にある。
【００１０】
投入口の下端部から細断物放出口にわたって直線状に延びる状態で流下案内板が設けられる。扱処理空間の後端部から排出された排ワラは、流下案内板による直線状の案内経路に沿って円滑に案内される。
【００１１】
細断部の外周部における投入口側に位置する部分のうち、横向き軸芯よりも投入口側であって且つ流下案内板とは反対側の部分（以下、投入口側で且つ流下案内板とは反対側の部分という）が、カバーの天井部材によって覆われている。一方、細断部の外周部における投入口側に位置する部分のうち、横向き軸芯よりも投入口側であって且つ流下案内板に近い側の部分（以下、投入口側で且つ流下案内板に近い側の部分という）は、カバーで覆われていない。
【００１２】
上記したようにカバーで覆われていない部分、すなわち、投入口側で且つ流下案内板に近い側の部分は、回転刃が流下案内板に向けて近づくように下向きに回転する領域である。扱処理空間の後端部から排出された排ワラは、この部分を通して細断部に案内されるので、案内される排ワラは、回転する回転刃によって円滑に掻き込まれて、回転刃と固定刃とにより細断処理される。
【００１３】
又、投入口側で且つ流下案内板とは反対側の部分は、回転刃の外周端部の回転軌跡の上部側箇所に対応する部分であるが、この部分がカバーによって覆われるので、この部分においては、投入された排ワラが細断部に供給されないので滞留のおそれはない。
【００１４】
従って、扱処理空間から排出された排ワラの細断処理を良好に行えるようにすることが可能となった。
【００１５】
本発明においては、前記カバーの前記前端部は、前記回転刃の外周端部の回転軌跡の最上端位置に近接する位置から、前方へ向けて水平状態、又は、前下がり状態で延びていると好適である。
【００１６】
本構成によれば、カバーの天井部材における排ワラ移送方向前端部は、回転刃の外周端部の回転軌跡に近づけるとともに、その回転軌跡に最も近い位置から前方へ向けて水平状態、又は、前下がり状態で延びている。尚、ここでいう水平状態とは、水平状態からわずかに傾斜しているが水平状態に近い略水平である状態も含む。
【００１７】
回転刃の外周端部の回転軌跡の上部側箇所は、高速で回転する回転刃によって排ワラが弾かれるおそれが大きい。しかし、本構成では、当該箇所が、水平姿勢又は前下がり姿勢のカバーによって覆われるので、排ワラが滞留することを確実に回避できる。
【００１８】
本発明においては、前記カバーの前記前端部は、排ワラ移送方向において、前記回転刃の外周端部の回転軌跡の前端部よりも前側まで延びていると好適である。
【００１９】
本構成によれば、投入口側で且つ流下案内板とは反対側の部分、すなわち、回転刃の外周端部の回転軌跡の上部側箇所に対応する部分に対して、投入口から投入されてワラ移送方向に沿って移送される排ワラが入り込もうとしても、排ワラ移送方向において、回転する回転刃よりも先にカバーの前端部にて受止められることになり、排ワラが入り込むことを確実に回避できる。
【００２０】
本発明においては、前記受網の下側に、前記受網を漏下した脱穀処理物を選別処理して穀粒と塵埃とに選別するとともに塵埃を後部の排塵口から外部に排出する選別部が備えられ、
前記流下案内板は前記排塵口の上方を通過する状態で設けられていると好適である。
【００２１】
本構成によれば、流下案内板は排塵口の上方を通過するので、排塵口から外部に排出される選別後の塵埃は、流下案内板にて案内されることはなく、流下案内板の下方側を通して外部にそのまま排出される。
【００２２】
選別部にて発生する塵埃は排ワラ細断装置に供給されることなく、そのまま外部に排出されるので、排ワラ細断装置の駆動負荷を軽減することができる。
【００２３】
本発明においては、前記選別部に、塵埃を風選別するため選別風を生起する唐箕が備えられ、
前記唐箕により生起された風は、前記排塵口を通り、前記流下案内板の下方を通過すると好適である。
【００２４】
本構成によれば、唐箕によって生起された風は、選別部にて脱穀処理物に作用して塵埃と穀粒とに選別して、塵埃を排塵口を通して外部に排出させる。排塵口を通過した後の風は、流下案内板の下方を通過する状態で後下がり方向に案内されるので、排ワラ細断装置より排出される細断処理物の流れの邪魔になることがない。
【００２５】
本発明においては、前記固定刃は、前記流下案内板のうち前記回転刃の外周端部が最接近する箇所よりも排ワラ移送方向の下手側の箇所に設けられていると好適である。
【００２６】
本構成によれば、回転刃によって排ワラを持ち回りしながら、流下案内板と回転刃の外周端部とが最接近する箇所にまで案内されると、回転刃と流下案内板との間の狭い隙間で挟まれた状態となる。そして、上記したような最接近する箇所よりも排ワラ移送方向の下手側の箇所に固定刃を設けるようにしたから、狭い領域に寄せ集められた排ワラに対して固定刃が効率よく作用するものとなり切断効率が良いものになる。
【００２７】
本発明においては、前記固定刃に、取付用の基部と、前記基部から上方に延設されるとともに切断用の刃が形成された切断作用部とが備えられ、
前記流下案内板のうち前記固定刃が取り付けられた固定刃取付箇所に対して排ワラ移送方向上手側に近接する箇所に、前記基部の上下高さよりも高い前上がりの段差が形成されていると好適である。
【００２８】
本構成によれば、排ワラは、流下案内板における固定刃取付箇所に対して排ワラ移送方向上手側に位置する領域に沿って流下案内されて固定刃にて切断作用を受ける。固定刃における基部には切断用の刃が形成されていないので基部には切断機能がない。そして、固定刃取付箇所に対して排ワラ移送方向上手側に近接する箇所に段差が形成されているので、流下案内されて段差を通過した排ワラは、固定刃の切断作用部に対してのみ接触して、基部に接触しない状態で固定刃にて切断作用を受ける。
【００２９】
従って、固定刃を流下案内板に取付けるために必要となる基部に対して排ワラが接触することにより切断ミスを起すことを回避して、良好に細断処理を行うことが可能となった。
【００３０】
本発明においては、前記流下案内板の下側に、機体横幅方向に沿って延びる補強部材が備えられ、
前記補強部材は、前記流下案内板の裏面のうち、前記固定刃が取り付けられた固定刃取付箇所に対応する位置に設けられていると好適である。
【００３１】
本構成によれば、流下案内板における固定刃取付箇所に対応する位置に補強部材が備えられるので、固定刃を強固に支持して耐久性の向上を図り、良好な細断処理を長期にわたって行うことが可能となる。
【００３２】
本発明においては、前記細断部は、前記回転刃の外周端部の回転軌跡の最上端位置が、前記受網の最下端位置よりも高い位置になるように設けられていると好適である。
【００３３】
本構成によれば、細断部は、回転刃の外周端部の回転軌跡の最上端位置が、受網の最下端位置よりも高い位置にある。すなわち、細断部が受網に対して前後方向視で重なり合う状態で相対的に高い位置に設けられるので、細断部を有する排ワラ処理装置が地面からの地上高が高い位置に設けられることになる。その結果、細断処理された細断処理物が排出された後に空中で拡散され易いものとなり、圃場にできるだけ散らばった状態で排ワラを放出することができる。
【００３４】
本発明においては、前記細断部は、機体前後方向において、前記回転刃の外周端部の回転軌跡の前端部が前記投入口の後端部と同じ位置に位置するように設けられていると好適である。
【００３５】
本構成によれば、投入口から投入される排ワラは、主に回転刃の外周端部の回転軌跡の前端部よりも前部側に供給されることになり、回転刃の外周端部の回転軌跡の上部側箇所に降りかかる状態で供給されることを回避し易い。その結果、高速で回転する回転刃によって排ワラが弾かれて浮き上がったりする等のおそれのない良好な状態で細断処理できるものとなる。
【００３６】
本発明においては、前記扱胴は、前記受網よりも後側に長く構成され、
前記投入口は、前記扱胴の後端部と前記受網の後端部とに亘る状態で形成されていると好適である。
【００３７】
本構成によれば、投入口においては、扱処理空間にて脱穀処理された後の排ワラは、受網の後端部から排出されるが、この投入口の上方には扱胴が存在するので、扱胴の回転に伴って排ワラを勢いよく投入口から排出させることができる。
【００３８】
本発明においては、前記流下案内板に、前記受網を支持する受網支持部から後下方に延びる第一流下部材と、前記第一流下部材に連なるように前記カバーに支持され、側面視で後下方に延びる第二流下部材とが備えられていると好適である。
【００３９】
本構成によれば、扱処理空間にて脱穀処理された後の排ワラは、第一流下部材によって案内され、さらに、それに引き続いて第一流下部材に連なる第二流下部材によって案内される。第一流下部材は、受網支持部から後下方に延びる状態で設けられるので、排ワラは扱処理空間から滞留することなく滑らかに第一流下部材に向けて案内することができる。また、箱形状に設けられて細断部を支持するカバーに第二流下部材が備えられるので、第二流下部材を細断部に近づけた状態で安定的に支持することができる。
【００４０】
本発明においては、前記天井部材は、前記回転刃の外周端部の回転軌跡に近接する状態で、前記細断部を後上側から覆っており、
前記天井部材の排ワラ移送方向下手側部分は、前記回転刃の外周端部の回転軌跡から離間するように後部側に向けて延びていると好適である。
【００４１】
本構成によれば、細断部を上側から覆うカバーの天井部材は、排ワラ移送方向上手側部分、すなわち、投入口に近い側が、回転刃の外周端部の回転軌跡に近接する状態で細断部を後上側から覆っている。一方、天井部材の排ワラ移送方向下手側部分、すなわち、細断物放出口に近い側が、回転刃の外端回転軌跡から離間するように後部側に向けて延びており、大きく開放された状態となっている。
【００４２】
細断部における回転刃と流下案内板に備えられた固定刃とにより細断された排ワラが、回転刃の回転力により接線方向に放出される。そのとき、大きく開放されている細断物放出口に近い側の空間を通過した排ワラが天井部材の排ワラ移送方向下手側部分にて受止められて、細断物放出口から排出される。
【００４３】
細断物放出口に近い側の空間を通過したのち、回転刃によって持ち回り状態で移動しようとしても、天井部材が回転刃の外周端部の回転軌跡に近接する状態で細断部を覆っているので、細断された排ワラが回転刃により持ち回り状態で移動して、細断部と天井部材との間に滞留することが阻止される。
【００４４】
本発明においては、前記流下案内板の排ワラ移送方向下手側に、前記細断部によって細断された排ワラを、機体横幅方向での排出方向を規制しながら流下案内するガイド部が備えられていると好適である。
【００４５】
本構成によれば、細断部にて細断された排ワラが、機体横幅方向での排出方向を規制する状態でガイド部によって流下案内される。例えば、圃場の未刈領域に植立している未刈作物から離間するように排出方向を規制して、次回の刈取作業を良好に行えるようにしたり、走行車輪あるいはクローラ走行装置等の車体の走行装置から離間するように排出方向を規制して、走行装置の作動を阻害しないようにすることができる。
【００４６】
本発明においては、前記天井部材の排ワラ移送方向下手側端部に、上下方向に沿って延びる縦壁部が備えられ、
前記ガイド部の後側の対向する位置に、前記縦壁部の下部に連なって上下方向に沿って下方に向けて延びる延長縦壁部が備えられていると好適である。
【００４７】
本構成によれば、細断された排ワラが、回転刃の回転力により接線方向に放出される排ワラが縦壁部によって受止められてその位置から下方に落下する。例えば、天井部材の排ワラ移送方向下手側端部が斜め姿勢であれば、それに受止められた排ワラは、その傾斜面によって斜め方向に案内されて、飛散する範囲が広くなり過ぎる不利があるが、上記構成によれば、このような不利を回避して、飛散する範囲を狭い範囲に抑えた状態で圃場に放出させることができる。
【００４８】
縦壁部の下部に連なって下方に向けて延びる延長縦壁部が備えられているから、回転刃の回転力により接線方向に放出される排ワラ、並びに、ガイド部によって案内される排ワラは、縦壁部及びそれに続く延長縦壁部によって受止められて確実に下方に落下案内される。
【００４９】
本発明においては、前記天井部材の排ワラ移送方向下手側に、前記細断部によって細断された排ワラを、機体横幅方向の中央側に案内するガイド部が備えられていると好適である。
【００５０】
本構成によれば、排ワラがガイド部によって機体幅方向の中央側に案内されることにより、排ワラを機体後方の既刈り地に落下させ易くなる。
【００５１】
本発明においては、前記カバーに、前記回転刃の外周端部の回転軌跡に近接する状態で前記細断部を覆う本体部と、前記本体部の後部から後方に向けて延びる延出部と、が備えられ、
前記ガイド部は、前記本体部内に入り込む状態で前記延出部に備えられていると好適である。
【００５２】
本構成によれば、排ワラが本体部の後部から延出部によって後方に向けて案内されながら外部に排出されることになる。これにより、細断後の排ワラを外部にスムーズに排出することができる。また、ガイド部をできるだけ排ワラ移送方向上手側の位置で排ワラに作用させることにより、排ワラを機体幅方向のできるだけ中央側に案内することができる。
【００５３】
本発明においては、前記排ワラ細断装置に、前記流下案内板の下端部から前記回転刃の下方を通って後方に向けて延びる放出案内板が備えられていると好適である。
【００５４】
本構成によれば、排ワラが流下案内板によって流下案内された後、流下案内板の下端部から放出案内板によって後方に向けて案内されながら外部に排出されることになる。これにより、細断後の排ワラを外部にスムーズに排出することができる。
【００５５】
本発明においては、前記放出案内板は、前記横向き軸芯よりも後側まで延びていると好適である。
【００５６】
本構成によれば、排ワラを放出案内板によって、より後方の位置まで案内することができる。
【００５７】
本発明においては、前記放出案内板は、機体前後方向において、前記横向き軸芯と、前記回転刃の外周端部の回転軌跡の後端との間まで延びていると好適である。
【００５８】
本構成によれば、放出案内板の前後長を抑えつつ、排ワラを放出案内板によって、より後方の位置まで案内することができる。
【００５９】
本発明においては、前記天井部材の排ワラ移送方向下手側部分は、前記回転刃の外周端部の回転軌跡から離間するように後部側に向けて延びており、
前記排ワラ移送方向下手側部分は、後下がりに傾斜し、かつ、前記排ワラ移送方向下手側部分の後端が前記放出案内板の後端と略同じ高さ位置になるように設けられていると好適である。
【００６０】
本構成によれば、排ワラが後下がりに傾斜する天井部材に沿って、放出案内板の後端と略同じ高さ位置に位置する天井部材の後端まで流れることになる。これにより、排ワラが略同じ高さ位置でスムーズに案内されるようにしつつ、排ワラを低い位置まで案内することができる。
【００６１】
本発明においては、前記天井部材の排ワラ移送方向下手側部分は、前記回転刃の外周端部の回転軌跡から離間するように後部側に向けて延びており、
前記排ワラ移送方向下手側部分は、後下がりに傾斜し、かつ、前記排ワラ移送方向下手側部分の後端が前記放出案内板の後端よりも低い位置になるように設けられていると好適である。
【００６２】
本構成によれば、排ワラが後下がりに傾斜する天井部材に沿って、放出案内板の後端よりも低い位置に位置する天井部材の後端まで流れることになる。これにより、排ワラをより低い位置まで案内することができる。
【図面の簡単な説明】
【００６３】
【図１】コンバインの全体側面図である。
【図２】コンバインの全体平面図である。
【図３】脱穀装置の縦断側面図である。
【図４】脱穀装置の縦断背面図である。
【図５】排ワラ細断装置の縦断側面図である。
【図６】流下案内板の縦断側面図である。
【図７】別実施形態に係る排ワラ細断装置の縦断面図である。
【図８】別実施形態に係る排ワラ細断装置の背面図である。
【発明を実施するための形態】
【００６４】
以下、本発明に係るコンバインの実施形態について図面に基づいて説明する。
【００６５】
〔全体構成〕
図１，２に、稲や麦などを収穫対象とする普通型コンバインが示されている。このコンバインは、機体フレーム１の下部に左右一対のクローラ式走行装置２を装備した走行機体を備え、その走行機体の前部に、収穫対象の植立穀稈を刈り取って後方に向けて搬送する刈取搬送部３が横軸芯Ｐ１周りで揺動昇降自在に連結されている。そして、機体フレーム１上に、刈取搬送部３からの刈取穀稈に対して脱穀処理を施すとともに、その脱穀処理で得られた脱穀処理物に対して選別処理を施す脱穀装置４、脱穀装置４からの穀粒を貯留する穀粒タンク５、穀粒タンク５に貯留される穀粒を機外に排出するための穀粒排出装置６、操縦者が搭乗して運転操作を行う運転部７、脱穀装置４の後側に設けられ、脱穀装置４による脱穀処理後の排ワラの細断処理を行う排ワラ細断装置８等が備えられている。
【００６６】
この実施形態で、機体の前後方向を定義するときは、作業状態における機体進行方向に沿って定義し、機体の左右方向を定義するときは、機体進行方向視で見た状態で左右を定義する。すなわち、図１，２に符号（Ｆ）で示す方向が機体前側、図１，２に符号（Ｂ）で示す方向が機体後側である。図２に符号（Ｌ）で示す方向が機体左側、図２に符号（Ｒ）で示す方向が機体右側である。
【００６７】
運転部７は機体前部右側に位置し、運転部７の後方に穀粒タンク５が位置している。脱穀装置４が左側に位置し、穀粒タンク５が右側に位置する状態で、脱穀装置４と穀粒タンク５とが左右方向に並ぶ状態で備えられている。そして、運転部７の下方側には、駆動用のエンジン９が備えられ、エンジン９の動力が各部に伝達される。
【００６８】
刈取搬送部３は、機体走行に伴って、植立穀稈を収穫対象の植立穀稈と収穫対象外の植立穀稈とに梳き分ける分草具１０、収穫対象の植立穀稈を後方に向けて掻き込む回転リール１１、収穫対象の植立穀稈の株元側を切断するバリカン形の刈取装置１２、切断後の刈取穀稈を左右方向の中央側の所定箇所に寄せ集め後方に向けて送り出す横送りオーガ１３、刈取穀稈を脱穀装置４に向けて搬送するフィーダ１４等を備えて構成されている。そして、刈取搬送部３は、油圧シリンダ１５により横軸芯Ｐ１周りで昇降揺動自在に支持されている。
【００６９】
〔脱穀装置〕
次に、脱穀装置について説明する。
脱穀装置４は、図３に示すように、左右両側の側壁４Ａ（図４参照）と天板１６とにより囲まれた内部空間において、上部に扱室１７が備えられ、その扱室１７の下方に選別部１８が備えられている。刈取穀稈が機体前部側に備えられたフィーダ１４によって搬送されて前端の入口部１９から扱室１７内に供給され、扱室１７においては、刈取搬送部３からの刈取穀稈に対して脱穀処理が行われる。選別部１８においては、脱穀処理で得られた脱穀処理物に対して選別処理が行われる。
【００７０】
扱室１７内には、機体前後方向に沿う水平向き軸芯Ｐ２周りに回転駆動されて作物を脱穀処理する扱胴２０が備えられている。扱胴２０は、前壁部２１と後壁部２２とわたって水平向き軸芯Ｐ２周りに回転自在に支持される扱胴軸２３を備え、その扱胴軸２３を中心に一体回転するように構成されている。この扱胴軸２３は、エンジン９からの動力により回転駆動される。扱胴２０は、機体正面視において右回り（時計回り）に駆動回転される。
【００７１】
扱胴２０は、円板状に形成され且つ扱胴軸２３に一体回転自在に連結固定された複数の支持プレート２４、扱胴２０の周方向に等間隔で分散配置して各支持プレート２４の夫々に連結された複数の支持杆２５、各支持杆２５の軸芯方向に並ぶ複数箇所から扱胴２０外周側に突出するバー形の扱歯２６を備えている。支持杆２５は丸パイプ材にて構成されている。又、扱歯２６は、丸棒材にて構成され、扱胴２０の径方向に沿って支持杆２５を貫通させた状態で溶接にて一体的に連結固定されている。扱室１７の天板１６には、扱胴２０の回転に伴って、処理物を扱胴２０の回転軸芯方向に沿って後方側（図１の右側方）に向けて移送案内する送塵弁２７が備えられている。
【００７２】
扱胴２０の外周部のうち下方側の半周部分に円弧状の受網２８が備えられている。詳述はしないが、受網２８は、円弧状の多数の横桟と横桟同士を連結する軸芯方向に沿う縦桟とを連結して、穀粒が通過するための通過孔が多数形成された周知構造の網状体にて構成されている。
【００７３】
図４に示すように、扱胴２０と受網２８との間には、機体前後方向視で円弧状に延びる扱処理空間２９が形成され、この扱処理空間２９にて扱胴２０と受網２８との協働により刈取穀稈に対する脱穀処理が行われる。扱胴２０は、受網２８よりも後側に長く構成されている。すなわち、図３に示すように、扱胴２０は、機体前後方向に沿って受網２８よりも後側に長く延びる状態で設けられている。詳細については、後述するが、扱胴２０が受網２８よりも後側に延びる部分において、その下方側に排ワラを投入する排ワラ細断装置８の投入口が形成されている。
【００７４】
図３に示すように、扱室１７の下方に位置する選別部１８は、受網２８から下方に漏下した処理物を移送しながら選別処理する揺動選別装置３０と、揺動選別装置３０から漏下した一番物としての穀粒を回収する一番物回収部３１と、揺動選別装置３０から漏下した枝付き穀粒等の二番物を回収する二番物回収部３２と、揺動選別装置３０に選別風を供給する唐箕３３とを備えている。
【００７５】
一番物回収部３１は、回収した穀粒を横送りスクリュー３１ａにより脱穀装置４の横側外方に搬送するように構成されている。そして、一番物回収部３１にて回収された穀粒は、脱穀装置４の横側外方に搬送されたのち、穀粒搬送装置３４によって上方に搬送されたのち穀粒タンク５に貯留される。
【００７６】
二番物回収部３２は、回収した二番物を横送りスクリュー３２ａにより脱穀装置４の横側外方に搬送するように構成されている。そして、二番物回収部３２にて回収された二番物は、脱穀装置４の横側外方に搬送されたのち、二番物還元装置３５により扱室１７内に還元されて脱穀処理される。
【００７７】
揺動選別装置３０は、図３に示すように、後部下方側に備えたクランク式の揺動駆動部３６の作動で前後揺動する平面視で矩形枠状のシーブケース３７を備え、そのシーブケース３７内に、第１グレンパン３８、第２グレンパン３９、チャフシーブ４０、グレンシーブ４１、複数のストローラック４２等を備えている。
【００７８】
第１グレンパン３８は、側面視で略波形に形成した板体にて構成され、扱室１７における移送方向上手側から漏下した処理物を後方に移送する。第２グレンパン３９は、側面視で略波形に形成した板体にて構成され、第１グレンパン３８によって移送された処理物及び扱室１７における移送方向上手側から漏下した処理物を受止めて後方に移送する。
【００７９】
チャフシーブ４０は、第２グレンパン３９の移送方向下手側に位置して、チャフシーブ４０は、複数の帯板状のチャフリップ板を間隔をあけて前後方向に並べて構成されている。チャフシーブ４０は、第２グレンパン３９から送り出される処理物、及び、扱室１７の受網２８から漏下した処理物について、揺動移送しながら穀粒や二番物を下方に漏下させる。
【００８０】
グレンシーブ４１は、穀粒通過用の開口が多数形成されたクリンプ網からなり、チャフシーブ４０の下方側に位置して、シーブケース３７の左右側板にわたって架設支持されている。このグレンシーブ４１は、チャフシーブ４０から漏下した処理物を揺動移送しながら穀粒を下方の一番物回収部３１に漏下させ、二番物を移送方向下手側の二番物回収部３２に移送する。
【００８１】
ストローラック４２は、チャフシーブ４０の移送方向下手側に位置して、上下方向並びに移送方向夫々に互いに位置を異ならせて複数組備えられている。各組のストローラック４２は、シーブケース３７の左右側板にわたってラック支持体４３が架設され、そのラック支持体４３から鋸歯状に形成された板体からなる複数の移送用ラック板４４が片持ち状に後方に向けて延設されている。
【００８２】
ストローラック４２は、扱室１７の移送方向終端側箇所やチャフシーブ４０の終端部から供給される処理物を後方に向けて揺動移送しながら、下方に漏下した二番物は下方の二番物回収部３２にて回収され、漏下しなかった排ワラ等は脱穀装置４の後部の排塵口４５から外方に排出する（図４，５の細い矢印線参照）。又、揺動選別装置３０にて揺動移送される途中で発生する細かなワラ屑等は、唐箕３３にて生起される選別風によって後方に吹き飛ばされて排塵口４５から外方に排出される。
【００８３】
〔排ワラ細断装置〕
次に、排ワラ細断装置８について説明する。
図３，５に示すように、排ワラ細断装置８は、脱穀装置４の後端下部に連結した箱形状の排ワラカバー４６（カバーの一例）によって覆われており、排ワラカバー４６によって覆われた内部空間に、横向き軸芯Ｐ３周りで回転する複数の回転刃４７と複数の固定刃４８とによって、脱穀装置４から投入される排ワラを細断する細断部４９が備えられている。排ワラカバー４６は、細断部４９の上側を覆う天井部材５０と細断部４９の左右両側部を覆う左右一対の側壁部５１とを備えて、箱形状に形成されている。
【００８４】
細断部４９は、図示しない伝動機構により脱穀装置４から伝達される動力により横向き軸芯Ｐ３周りで回転する円筒状の回転体５２が備えられ、その回転体５２の外周部に固定された取付ブラケット５３に、放射状に延びる状態で複数の回転刃４７が固定されている。
【００８５】
図５において太い矢印線にて示すように、脱穀装置４の扱処理空間２９の後端部から後下方側に向けて排ワラが排出される。このように脱穀装置４から排出された排ワラを後下方側に向けて流下案内する流下案内板５４が、細断部４９の下側に位置する状態で備えられている。この流下案内板５４により排ワラが流下案内される方向が排ワラ移送方向Ｄ１に対応する。
【００８６】
排ワラカバー４６の排ワラ移送方向前端部４６ａと、流下案内板５４の排ワラ移送方向前端部５４ａとの間で形成された開口により、扱処理空間２９の後端部に形成されて排ワラが投入される投入口５５が形成されている。又、排ワラカバー４６の排ワラ移送方向後端部４６ｂと、流下案内板５４の排ワラ移送方向後端部５４ｂとの間で形成された開口により、細断された排ワラを外部に放出する細断物放出口５６が形成されている。
【００８７】
流下案内板５４は、受網２８を支持する受網支持部５７から後下方に延びる第一流下部材５８と、第一流下部材５８に連なるように排ワラカバー４６に支持され、側面視で後下方に延びる第二流下部材５９とを備えている。
【００８８】
図４に示すように、第一流下部材５８は、横方向に長い帯板状に形成され、側面視で受網２８の後端部を支持する受網支持部５７から後下方側に向けて延びている。第一流下部材５８は左右両側が脱穀装置４の左右側壁４Ａに固定されている。
【００８９】
第一流下部材５８の後端部に連なる状態で第二流下部材５９が設けられている。第二流下部材５９は、排ワラ移送方向上手側に位置する上流側板体５９Ａと、上流側板体５９Ａよりも排ワラ移送方向下手側に位置する下流側板体５９Ｂとを備えている。上流側板体５９Ａは、横方向に長い帯板状に形成され、側面視で第一流下部材５８の後端部から後下方側に向けて延びる状態で備えられる。下流側板体５９Ｂは、横方向に長い帯板状に形成され、側面視で上流側板体５９Ａの後端部から後下方側に向けて延びる状態で備えられる。上流側板体５９Ａ及び下流側板体５９Ｂは、夫々、排ワラカバー４６の左右両側の側壁部５１にボルトで連結されている。
【００９０】
図６に示すように、上流側板体５９Ａは、排ワラ移送方向両側端部が側面視で下向きに略Ｌ字形に屈曲形成されている。そして、排ワラ移送方向始端側は、側面視で略Ｌ字形に屈曲形成されている第一流下部材５８の後端部に対して、接当する状態で上部側の移送案内面が連なるように接続されている。第一流下部材５８の曲げ角が鈍角であり、上流側板体５９Ａの曲げ角が鋭角になっており、夫々の折れ曲がり部５８ａ，５９Ａａが面接触する状態で接続されている。上流側板体５９Ａの上下両側に略Ｌ字形の屈曲部が形成されることで、この屈曲部の弾性変形により、寸法誤差の吸収を行えるようにしている。
【００９１】
図６に示すように、下流側板体５９Ｂは平坦な板状体にて構成され、この下流側板体５９Ｂには複数の固定刃４８が取り付けられている。図４に示すように、機体前後方向視で略Ｕ字形に形成された固定刃構成体６０の中間底部６０ａがボルトにより下流側板体５９Ｂに連結され、固定刃構成体６０の左右両側の縦面部分により一対の固定刃４８が形成されている。このような略Ｕ字形の固定刃構成体６０が左右方向に沿って複数並ぶ状態で取り付けられ、複数の固定刃４８が構成されている。
【００９２】
下流側板体５９Ｂにおける固定刃４８が取り付けられる側とは反対側の裏面のうち、固定刃４８が取り付けられた固定刃取付箇所に対応する位置に補強部材６１が備えられている。図６に示すように、補強部材６１は、断面形状が略Ｕ字状で且つ機体横幅方向に沿って長く延びる板状体にて構成されている。図示はしていないが、この補強部材６１は、固定刃構成体６０と共締めする状態でボルトで下流側板体５９Ｂに取付けられている。
【００９３】
上記したように、固定刃構成体６０は、中間底部６０ａがボルト連結され、その左右両側に一対の固定刃４８が形成されている。図６に示すように、固定刃４８には、中間底部６０ａに連なる取付用の基部４８ａと、基部４８ａから上方に延設されるとともに切断用の刃４８ｂが形成された切断作用部４８ｃとが備えられている。基部４８ａには、切断用の刃が形成されていない。
【００９４】
図６に示すように、流下案内板５４のうち固定刃４８が取り付けられた固定刃取付箇所に対して排ワラ移送方向上手側に近接する箇所に、基部４８ａの上下高さよりも高い前上がりの段差６２が形成されている。すなわち、下流側板体５９Ｂの案内面５９Ｂ１が上流側板体５９Ａの案内面５９Ａ１に対して低い位置になるように、下流側板体５９Ｂと上流側板体５９Ａとの間に基部４８ａの上下高さよりも高い段差６２が形成されている。
【００９５】
図５，６に示すように、固定刃４８は、流下案内板５４のうち回転刃４７の外周端部が最接近する箇所Ｑ１よりも排ワラ移送方向の下手側の箇所に位置する状態で設けられている。この構成では、回転する回転刃４７により掻き込まれて、回転刃４７の外周端部が流下案内板５４に最接近する最も狭い領域に寄せ集められた排ワラに対して固定刃４８が効率よく作用するものとなる。
【００９６】
流下案内板５４は、側面視で、投入口５５の下端部から細断物放出口５６にわたって直線状に延ばされ、細断部４９の外周部における投入口５５側に位置する部分のうち、側面視で横向き軸芯よりも投入口５５側であって且つ横向き軸芯Ｐ３に対して流下案内板５４とは反対側の部分が、排ワラカバー４６の天井部材５０における排ワラ移送方向前端部によって覆われている。
【００９７】
説明を加えると、細断部４９の外周部における投入口５５側に位置する部分のうち、横向き軸芯Ｐ３よりも投入口５５側であって且つ流下案内板５４とは反対側の部分（図５の符号Ｗ１参照）が、排ワラカバー４６の天井部材５０によって覆われている。この部分においては、投入された排ワラが細断部４９に供給されないので、回転刃４７によって跳ね飛ばされて浮き上がり滞留するおそれはない。
【００９８】
一方、細断部４９の外周部における投入口５５側に位置する部分のうち、横向き軸芯Ｐ３よりも投入口５５側であって且つ流下案内板５４に近い側の部分（図５の符号Ｗ２参照）は、排ワラカバー４６で覆われていないので、投入された排ワラは、回転する回転刃４７によって円滑に掻き込まれて、回転刃４７と固定刃４８とにより細断処理される。
【００９９】
排ワラカバー４６の天井部材５０は、排ワラ移送方向上手側部分において、回転刃４７の外周端部の回転軌跡Ｋに近接する状態で、細断部４９を後上側から覆っている。そして、天井部材５０の排ワラ移送方向下手側部分は、回転刃４７の外周端部の回転軌跡Ｋから離間するように後部側に向けて延びている。さらに、天井部材５０の排ワラ移送方向下手側端部には、上下方向に沿って延びる縦壁部５０ａが備えられている。
【０１００】
説明を加えると、図５に示すように、天井部材５０の排ワラ移送方向下手側部分のうち、排ワラ移送方向上手側部分に連なる上手側領域には、機体後部側ほど下方に位置するように後下がり傾斜姿勢の後下がり傾斜部５０ｂが形成されている。そして、上手側領域に連なる排ワラ移送方向下手側端部に上下方向に沿って延びる縦壁部５０ａが形成されている。
【０１０１】
このように構成することで、回転刃４７と固定刃４８とにより細断されて、回転刃４７の回転に伴って連持ち状態で飛散される細断処理物が、開放された空間を通して後下がり傾斜部５０ｂによって詰まりを起すことなく良好に受止められて下方に落下させることができる。縦壁部５０ａを備えることで、細断処理物が後方に向けて必要以上に飛散することを回避できる。
【０１０２】
図５に示すように、細断部４９は、回転刃４７の外周端部の回転軌跡Ｋの最上端位置Ｑ２が、受網２８の最下端位置Ｑ３よりも高い位置になるように設けられている。このように構成することで、従来構成に比べて、細断部４９が脱穀装置４に対して相対的に高い位置に位置することになる。その結果、圃場面までの上下方向の距離が長くなり、細断された排ワラが圃場面にできるだけ拡散した状態で放出させることができる。
【０１０３】
排ワラカバー４６の排ワラ移送方向前端部は、回転刃４７の外周端部の回転軌跡Ｋの最上端位置Ｑ２に近接する位置から、前方へ向けて水平状態で延びている。又、排ワラカバー４６の排ワラ移送方向前端部は、排ワラ移送方向において、回転刃４７の外周端部の回転軌跡Ｋの前端部Ｑ４よりも前側まで延びている。このように構成することで、回転刃４７の外周端部の回転軌跡Ｋの上部側箇所に対応する部分が排ワラカバー４６によって覆われるので、投入口５５から投入される排ワラが回転する回転刃４７の上部側箇所にて滞留することを回避できる。さらに、細断部４９は、機体前後方向において、回転刃４７の外周端部の回転軌跡Ｋの前端部Ｑ５が投入口５５の後端部と同じ位置に位置するように設けられている。
【０１０４】
流下案内板５４は、脱穀装置４の排塵口４５の上方を通過する状態で設けられている。従って、脱穀装置４の排塵口４５から外部に排出される脱穀処理によって発生した排ワラや唐箕によって飛散される細かな塵埃等は、図４，５の細い矢印線にて示すように、流下案内板５４の下方側を通過して外部に排出される。
【０１０５】
〔ガイド部〕
流下案内板５４の排ワラ移送方向下手側に、細断部４９によって細断された排ワラを、機体横幅方向での排出方向を規制しながら流下案内する複数のガイド部６５が備えられている。ガイド部６５は、図４〜６に示すように、板材をＬ字形に折り曲げた形状であり、上部側端部が第二流下部材５９の下流側板体５９Ｂにボルト連結にて取り付けられている。ガイド部６５は、排ワラ移送方向に沿うように後下がり傾斜状に設けられている。そして、縦面部６５ａが左側に位置して右側が開放される状態で、平面視で下方側ほど機体右側に向かう斜め姿勢にて設けられている。このように構成することで、排ワラ細断装置８にて細断された排ワラができるだけ機体左右方向の右側に寄った箇所に排出され、排ワラが未刈作物に降りかかることがないようにしている。
【０１０６】
図３，５に示すように、排ワラカバー４６の下側に、細断物放出口５６から排出される細断された排ワラを下方に向けて落下案内する延長案内部６６が備えられている。延長案内部６６は、天井部材５０の排ワラ移送方向下手側端部に備えられた縦壁部５０ａの下部に連なって上下方向に沿って下方に向けて延びる後部側の延長縦壁部６７と、排ワラカバー４６の左右両側の側壁部５１の下部に連なって上下方向に沿って下方に向けて延びる左右両側の延長側壁部６８とを備えている。延長案内部６６を備えることで、細断された排ワラが広い範囲に分散されることなく、下方に向けて落下案内することができる。又、延長案内部６６は、ゴム板や合成樹脂板等の軟質材にて構成され、外物との接触により損傷するおそれが少なく、軽量で取り換えも容易に行えるようになっている。延長案内部６６は金属材で構成してもよい。
【０１０７】
〔別実施形態の１〕
（１）排ワラカバー４６の排ワラ移送方向前端部が、回転刃４７の外周端部の回転軌跡Ｋの最上端位置Ｑ２に近接する位置から、前方へ向けて前下がり状態で延びる構成としてもよい。例えば、回転軌跡Ｋに沿うように円弧状に前下がり状態で延びるものでもよい。そして、この構成では、排ワラカバー４６の排ワラ移送方向前端部が、排ワラ移送方向において、回転刃４７の外周端部の回転軌跡Ｋの前端部Ｑ４よりも後側に位置するように構成するものでもよい。
【０１０８】
（２）固定刃４８が流下案内板５４のうち回転刃４７の外周端部が最接近する箇所Ｑ１又は排ワラ移送方向の上手側の箇所に備える構成としてもよい。
【０１０９】
（３）細断部４９の受網２８や脱穀装置４に対する取付け位置は上記構成に限らず、適宜変更して実施してもよい。
【０１１０】
（４）流下案内板５４に段差６２を形成することなく、平坦な案内面を有する構成としてもよい。
【０１１１】
（５）ガイド部６５や延長縦壁部６７等を有する延長案内部６６を備えない構成としてもよい。
【０１１２】
〔別実施形態の２〕
次に、別実施形態の２について、図７及び図８を用いて説明する。図７及び図８に示すように、排ワラ細断装置８には、排ワラカバー１４６と、放出案内板６９と、が備えられている。
【０１１３】
排ワラカバー１４６には、回転刃４７の外周端部の回転軌跡Ｋに近接する状態で細断部４９を覆うケース７０（本発明に係る「本体部」に相当）と、ケース７０の後部から後方に向けて延びる上部案内部材７１（本発明に係る「延出部」に相当）と、が備えられている。
【０１１４】
〔ケース〕
ケース７０は、細断部４９を上側から覆う箱形状である。ケース７０には、左右一対の側板７２と、左側の側板７２と右側の側板７２とに亘る天板７３と、が備えられている。天板７３には、脱穀装置４の後壁から後方に向けて延びる水平部７４と、水平部７４の後端部から後下方に向けて延びる傾斜部７５と、傾斜部７５の後端部から下方に向けて延びる垂直部７６と、が備えられている。
【０１１５】
〔放出案内板〕
放出案内板６９は、流下案内板５４の下端部から回転刃４７の下方を通って後方に向けて延びている。放出案内板６９は、横向き軸芯Ｐ３よりも後側まで延びている。具体的には、放出案内板６９は、機体前後方向において、横向き軸芯Ｐ３と、回転刃４７の外周端部の回転軌跡Ｋの後端との間まで延びている。放出案内板６９は、板状部材によって構成されている。放出案内板６９における左側部及び右側部は、夫々、ケース７０における左側の側板７２及び右側の側板７２にボルト固定されている。
【０１１６】
放出案内板６９のうち排ワラ移送方向上手側に位置する部分は、後下がりに傾斜している。放出案内板６９の前端部には、上側に折れ曲がる折れ曲り部６９ａが形成されている。折れ曲り部６９ａは、流下案内板５４のうち下流側板体５９Ｂにボルト固定されている。放出案内板６９のうち排ワラ移送方向下手側に位置する部分は、後方に向けて水平（略水平を含む）に延びている。放出案内板６９の後端部には、下側に折れ曲がる折れ曲り部６９ｂが形成されている。
【０１１７】
〔上部案内部材〕
上部案内部材７１は、ケース７０の後部から後方に向けて延びている。上部案内部材７１には、左右一対の側板７７と、左側の側板７７と右側の側板７７とに亘る天板７８（本発明に係る「天井部材の排ワラ移送方向下手側部分」に相当）と、が備えられている。
【０１１８】
左側の側板７７は、機体前後方向に一直線状（略一直線状を含む）に延びている。左側の側板７７の下縁部は、後下がりに傾斜している。左側の側板７７の下縁部には、左側に折れ曲がる折れ曲り部７７ａが形成されている。右側の側板７７は、平面視において、後端側ほど右側に位置するように傾斜している。右側の側板７７の下縁部は、後下がりに傾斜している。右側の側板７７の下縁部には、右側に折れ曲がる折れ曲り部７７ａが形成されている。
【０１１９】
天板７８は、回転刃４７の外周端部の回転軌跡Ｋから離間するように後部側に向けて延びている。天板７８は、後下がりに傾斜し、かつ、天板７８の後端Ｑ６が放出案内板６９の後端Ｑ７と略同じ高さ位置になるように設けられている。本実施形態では、天板７８は、後下がりに傾斜し、かつ、天板７８の後端Ｑ６が放出案内板６９の後端Ｑ７よりも低い位置になるように設けられている。天板７８の傾斜角度αは、例えば、約６５度に設定されている。天板７８の後端部には、上側に折れ曲がる折れ曲り部７８ａが形成されている。
【０１２０】
〔ガイド部〕
天板７８には、細断部４９によって細断された排出物を、機体横幅方向の中央側に案内するガイド部７９が複数（例えば、四つ）備えられている。ガイド部７９は、天板７８に対して垂直な方向に延びる揺動軸芯Ｚ１周りで揺動可能なように、支軸８０を介して天板７８に揺動可能に支持されている。天板７８には、揺動軸芯Ｚ１を中心とする円弧形状のガイド孔７８ｂが、ガイド部７９毎に形成されている。ガイド部７９がガイド孔７８ｂに沿って揺動軸芯Ｚ１周りで揺動することにより、ガイド部７９による案内角度が変化する。
【０１２１】
ガイド部７９は、ケース７０内に入り込む状態で天板７８に備えられている。具体的には、ガイド部７９の前縁部のうち上部側がケース７０内に入り込んでいる。ガイド部７９の入り込み量は、下側ほど少なくなっている。ガイド部７９の前縁部は、側面視において、ケース７０と上部案内部材７１との境界を跨ぐ状態で、前下がりに傾斜している。
【０１２２】
このような構成によれば、排塵口４５からの塵埃が排ワラ細断装置８に投入されずに、流下案内板５４の下方を通過して外部に排出されることになる。これにより、排出物が排ワラ細断装置８の内部に滞留し難くなる。また、排出物が流下案内板５４の下端部から放出案内板６９によって後方に向けて案内された後、ケース７０の後部から上部案内部材７１によって後方に向けて案内されながら外部に排出されることになる。このように、本特徴構成によれば、細断後の排出物を外部にスムーズに排出することができる。
【０１２３】
〔別実施形態の３〕
（１）上記別実施形態の２では、放出案内板６９が横向き軸芯Ｐ３よりも後側まで延びている。しかし、これに代えて、放出案内板６９が横向き軸芯Ｐ３よりも後側まで延びていなくてもよい。この場合、放出案内板６９の後端Ｑ７が横向き軸芯Ｐ３と同じ前後位置に位置していてもよい。
【０１２４】
（２）上記別実施形態の２では、天板７８の後端Ｑ６が放出案内板６９の後端Ｑ７よりも低い。しかし、これに代えて、天板７８の後端Ｑ６が放出案内板６９の後端Ｑ７と同じ高さ位置であってもよい。あるいは、天板７８の後端Ｑ６が放出案内板６９の後端Ｑ７よりも高くてもよい。
【０１２５】
（３）上記別実施形態の２では、天板７８が後下がりに傾斜している。しかし、これに代えて、天板７８が水平であってもよい。あるは、天板７８が後上がりに傾斜していてもよい。
【０１２６】
（４）上記別実施形態の２では、ガイド部７９が四つ設けられている。しかし、これに代えて、ガイド部７９が１から３つ又は５つ以上設けられていてもよい。
【０１２７】
（５）上記別実施形態の２では、ガイド部７９がケース７０内に入り込んでいる。しかし、これに代えて、ガイド部７９がケース７０内に入り込んでいなくてもよい。
【産業上の利用可能性】
【０１２８】
本発明は、脱穀装置と、脱穀装置による脱穀処理後の排ワラの細断処理を行う排ワラ細断装置とが備えられているコンバインに適用できる。
【符号の説明】
【０１２９】
４          脱穀装置
８          排ワラ細断装置
２０        扱胴
２８        受網
２９        扱処理空間
３３        唐箕
４５        排塵口
４６        カバー
４７        回転刃
４８        固定刃
４８ａ      基部
４８ｂ      刃
４８ｃ      切断作用部
４９        細断部
５０        天井部材
５０ａ      縦壁部
５４        流下案内板
５４ａ      排ワラ移送方向前端部
５５        投入口
５６        細断物放出口
５８        第一流下部材
５９        第二流下部材
６１        補強部材
６２        段差
６５        ガイド部
６７        延長縦壁部
６９        放出案内板
７０        本体部
７１        延出部
７８        天井部材の排ワラ移送方向下手側部分
７９        ガイド部
１４６      カバー
Ｋ          回転軌跡
Ｐ３        横向き軸芯
Ｑ２        最上端位置
Ｑ３        最下端位置
Ｑ４        前端部
Ｑ６        排ワラ移送方向下手側部分の後端
Ｑ７        放出案内板の後端
【図１】
2018000189.tif 000003
【図２】
2018000189.tif 000004
【図３】
2018000189.tif 000005
【図４】
2018000189.tif 000006
【図５】
2018000189.tif 000007
【図６】
2018000189.tif 000008
【図７】
2018000189.tif 000009
【図８】
2018000189.tif 000010